(57)【要約】【課題】  無線通信が可能なリモコンを有線通信でも簡単に利用し、使用環境に応じて無線通信と有線通信とを選択できる視標呈示装置を提供する。【解決手段】  視標呈示装置は、視標選択スイッチからの光信号を無線送信する第１光源が配置されたリモコンと、第１光源の光信号を受光する第１受光素子が配置され、第１光源が受光した光信号に基づき視標を切換える制御手段を有する装置本体からなる。通信ユニットは、装置本体に設けられたコネクタとリモコンに設けられたコネクタに接続される。又は、第１光源からの光信号を受光する第２受光素子が設けられたアタッチメントがリモコンの光送信部に取り付けられ、装置本体のコネクタにケーブルが接続される。装置本体の制御手段は、通信ユニットが装置本体に接続された時に、第１受光素子からの入力を遮断し、ケーブルを介して送信される視標選択信号に基づいて視標を切換える。【選択図】      図４
2009268530.tif 000002
【特許請求の範囲】
【請求項１】
視標選択スイッチを持ち該スイッチの視標選択信号を光信号で無線送信する第１光源が配置された光送信部を持つリモートコントローラと、視標を被検眼に呈示する視標呈示ユニットを持つ装置本体であって、前記リモートコントローラの第１光源からの光信号を受光する第１受光素子が配置された光受信部と，前記第１受光素子で受光された視標選択信号に基づいて前記視標呈示ユニットに呈示させる視標を切換える本体制御手段と，を持つ装置本体と、を備える視標呈示装置において、
前記装置本体に設けられた本体コネクタと、
前記装置本体の本体コネクタに接続されるケーブルを持つケーブル通信ユニットであって、前記リモートコントローラに設けられたコントローラ用コネクタに接続されるか、又は前記第１光源からの光信号を受光する第２受光素子が配置され、該第２受光素子で受光された光信号を電気信号に変換して前記ケーブルを介して送信するために前記リモートコントローラの光送信部に着脱自在に取り付けられるアタッチメントを有するケーブル通信ユニットと、を備え、
前記本体制御手段は、前記ケーブル通信ユニットが装置本体に接続されているときは、前記第１受光素子からの信号入力を遮断又は第１受光素子の受光動作を停止し、前記ケーブルを介して送信される視標選択信号に基づいて前記視標呈示ユニットに呈示させる視標を切換えることを特徴とする視標呈示装置。
【請求項２】
請求項１の視標呈示装置において、
前記ケーブル通信ユニットは、前記リモートコントローラに設けられたコントローラ用コネクタに接続されるケーブル通信ユニットであり、
前記リモートコントローラは、前記ケーブル通信ユニットが接続されたときに、前記第１光源の制御を停止し、視標選択スイッチの視標選択信号を電気信号により前記ケーブル通信ユニットに出力する制御ユニットを備えることを特徴とする視標呈示装置。
【請求項３】
請求項１の視標呈示装置において、前記ケーブル通信ユニットは、前記第１光源からの光信号を受光する第２受光素子が配置され、該第２受光素子で受光された光信号を電気信号に変換して前記ケーブルを介して送信するために前記リモートコントローラの光送信部に着脱自在に取り付けられるアタッチメントを有するケーブル通信ユニットであり、
前記装置本体は、前記視標呈示ユニットの視標が切換えられた旨の応答信号を光信号で無線送信する第２光源を備え、
前記リモートコントローラは、前記第２光源からの光信号を受光するために前記光送信部に配置された第３受光素子を持つと共に、前記第３受光素子の受光に基づいて視標切換えの適否を判断し、視標切換えが適正でないときにその旨を警告する警告手段を備え、
前記ケーブル通信ユニットが持つアタッチメントには、前記視標呈示ユニットによる視標切換えの応答信号を光信号に変換して発する第３光源が配置され、
前記本体制御手段は、前記ケーブルが装置本体に接続されているときには、前記視標呈示ユニットによる視標切換えの応答信号を前記第３光源から送信させることを特徴とする視標呈示装置。
【請求項４】
請求項３の視標呈示装置において、前記リモートコントローラが持つ第１光源は、被検眼の高さの検出光を投光する光源を兼ね、リモートコントローラは前記第１光源から検出光を投光させるための投光スイッチを含み、
前記装置本体の視標呈示ユニットは、反射部材により視標光束を反射させて被検眼に導く導光光学系と、被検眼と所定の関係に置かれた前記リモートコントローラの第１光源から投光される検出光の位置を検出する位置検出素子を持つ位置検出光学系と、前記位置検出素子の検出結果に基づいて視標光束が被検眼に向かうように前記反射部材を駆動させる駆動手段と、を備え、
前記ケーブル通信ユニットのアタッチメントには、被検眼の高さの検出光を投光する第４の光源が設けられ、
前記本体制御手段は、前記ケーブルが装置本体に接続されているときには、前記投光スイッチのスイッチ信号を基に前記第１光源から発せられ、前記第２受光素子により受光される受光信号に基づいて前記第４の光源を発光させることを特徴とする視標呈示装置。
【請求項５】
請求項４の視標呈示装置において、
前記本体制御手段は、前記第２受光素子により受光される前記投光スイッチのスイッチ信号に基づいて前記位置検出素子の位置検出動作を可能にした後、前記第４の光源を発光させることを特徴とする視標呈示装置。
【発明の詳細な説明】
【技術分野】
【０００１】
本発明は、無線通信可能なリモートコントローラからの信号に基づいて検査視標を呈示する視力呈示装置に関する。
【背景技術】
【０００２】
視標選択スイッチの視標選択信号を光信号で送信する光源を持つ無線通信可能なリモコン（リモートコントローラ）を備え、このリモコンからの光信号による視標選択信号に基づいて装置本体が備える視標呈示ユニットの視標を切換えて呈示させる視標呈示装置が知られている（特許文献１、２、３参照）。また、凹面鏡及びビームスプリッタを利用した視標呈示ユニットを持つ省スペース型の視標呈示装置においては、被検者の脇に位置する検者から装置本体の内部に呈示される検査視標を見ることが難しい。このため、リモコンに選択視標を表示する表示器が設けられると共に、リモコンからの選択信号により視標が適正に切換えられたことを応答する信号をリモコン側に光信号で返す、双方向通信機能が設けられているものがある。また、省スペース型の視標呈示装置においては、被検眼の高さ位置を検出する検出光学系を設け、被検者の眼の高さに応じて視標光束が被検眼に適切に導光されるようにされていものがある。
【特許文献１】特開平６−３３９４６３号公報
【特許文献２】特開平７−２３６６１２号公報
【特許文献３】特開２００２−２０００４２号公報
【発明の開示】
【発明が解決しようとする課題】
【０００３】
ところで、光信号を用いた無線通信においては、外乱光の多い環境では、リモコンから装置本体に送られる視標選択信号及び装置本体からリモコン側に送られる双方向通信の信号が妨げられ、無線通信を利用できないことがある。また、装置本体の配置のレイアウトが変えられた場合、レイアウト変更前は無線通信が利用可能であたったものの、レイアウト変更後に外乱光等の影響により無線通信が利用できなくなるケースもある。
また、省スペース型の視標呈示装置では、装置本体と被検者までの実際の距離が１ｍほどの短距離である。このため、被検者の横に位置する検者は装置本体の正面に対して横方向に外れる角度が大きくなる。この場合、リモコンの送信部・受信部が装置本体側に向けられずにリモコンが操作されやすく、通信エラーが発生しやすくなる。一方、装置本体にケーブルで接続された有線通信専用のリモコンを用いることは、無線通信が可能な環境の場合に使い勝手が悪くなる。
【０００４】
本発明は、上記従来装置の問題的に鑑み、無線通信が可能なリモートコントローラを有線通信にも簡単に利用することが可能な視標呈示装置を提供することを技術課題とする。
【課題を解決するための手段】
【０００５】
上記課題を解決するために、本発明は以下のような構成を備えることを特徴とする。
【０００６】
（１）  視標選択スイッチを持ち該スイッチの視標選択信号を光信号で無線送信する第１光源が配置された光送信部を持つリモートコントローラと、視標を被検眼に呈示する視標呈示ユニットを持つ装置本体であって、前記リモートコントローラの第１光源からの光信号を受光する第１受光素子が配置された光受信部と，前記第１受光素子で受光された視標選択信号に基づいて前記視標呈示ユニットに呈示させる視標を切換える本体制御手段と，を持つ装置本体と、を備える視標呈示装置において、前記装置本体に設けられた本体コネクタと、前記装置本体の本体コネクタに接続されるケーブルを持つケーブル通信ユニットであって、前記リモートコントローラに設けられたコントローラ用コネクタに接続されるか、又は前記第１光源からの光信号を受光する第２受光素子が配置され、該第２受光素子で受光された光信号を電気信号に変換して前記ケーブルを介して送信するために前記リモートコントローラの光送信部に着脱自在に取り付けられるアタッチメントを有するケーブル通信ユニットと、を備え、前記本体制御手段は、前記ケーブル通信ユニットが装置本体に接続されているときは、前記第１受光素子からの信号入力を遮断又は第１受光素子の受光動作を停止し、前記ケーブルを介して送信される視標選択信号に基づいて前記視標呈示ユニットに呈示させる視標を切換えることを特徴とする。
（２）  （１）の視標呈示装置において、前記ケーブル通信ユニットは、前記リモートコントローラに設けられたコントローラ用コネクタに接続されるケーブル通信ユニットであり、前記リモートコントローラは、前記ケーブル通信ユニットが接続されたときに、前記第１光源の制御を停止し、視標選択スイッチの視標選択信号を電気信号により前記ケーブル通信ユニットに出力する制御ユニットを備えることを特徴とする。
（３）  （１）の視標呈示装置において、前記ケーブル通信ユニットは、前記第１光源からの光信号を受光する第２受光素子が配置され、該第２受光素子で受光された光信号を電気信号に変換して前記ケーブルを介して送信するために前記リモートコントローラの光送信部に着脱自在に取り付けられるアタッチメントを有するケーブル通信ユニットであり、前記装置本体は、前記視標呈示ユニットの視標が切換えられた旨の応答信号を光信号で無線送信する第２光源を備え、前記リモートコントローラは、前記第２光源からの光信号を受光するために前記光送信部に配置された第３受光素子を持つと共に、前記第３受光素子の受光に基づいて視標切換えの適否を判断し、視標切換えが適正でないときにその旨を警告する警告手段を備え、前記ケーブル通信ユニットが持つアタッチメントには、前記視標呈示ユニットによる視標切換えの応答信号を光信号に変換して発する第３光源が配置され、前記本体制御手段は、前記ケーブルが装置本体に接続されているときには、前記視標呈示ユニットによる視標切換えの応答信号を前記第３光源から送信させることを特徴とする。
（４）  （３）の視標呈示装置において、前記リモートコントローラが持つ第１光源は、被検眼の高さの検出光を投光する光源を兼ね、リモートコントローラは前記第１光源から検出光を投光させるための投光スイッチを含み、前記装置本体の視標呈示ユニットは、反射部材により視標光束を反射させて被検眼に導く導光光学系と、被検眼と所定の関係に置かれた前記リモートコントローラの第１光源から投光される検出光の位置を検出する位置検出素子を持つ位置検出光学系と、前記位置検出素子の検出結果に基づいて視標光束が被検眼に向かうように前記反射部材を駆動させる駆動手段と、を備え、前記ケーブル通信ユニットのアタッチメントには、被検眼の高さの検出光を投光する第４の光源が設けられ、前記本体制御手段は、前記ケーブルが装置本体に接続されているときには、前記投光スイッチのスイッチ信号を基に前記第１光源から発せられ、前記第２受光素子により受光される受光信号に基づいて前記第４の光源を発光させることを特徴とする。
（５）  （４）の視標呈示装置において、前記本体制御手段は、前記第２受光素子により受光される前記投光スイッチのスイッチ信号に基づいて前記位置検出素子の位置検出動作を可能にした後、前記第４の光源を発光させることを特徴とする。
【発明の効果】
【０００７】
本発明によれば、無線通信が可能なリモートコントローラを有線通信にも簡単に利用することができる。このため、使用者は、使用環境に応じて無線通信と有線通信を選択でき、使用環境によって使い勝手悪くなることを解消できる。
【発明を実施するための最良の形態】
【０００８】
以下、本発明の実施の形態を図面に基づいて説明する。図１は本第１実施形態の視標呈示装置の概略図である。視標呈示装置は、省スペース型の装置本体１と、視標選択スイッチと視標選択信号等の光信号を送受信する光送受信部と持つ無線通信可能なリモコン（リモートコントローラ）４０と、装置本体１との有線通信を可能にするために、リモコン４０に着脱自在に取り付けられるアタッチメント、ケーブル及び装置本体１に接続するコネクタを持つケーブル通信ユニット５０と、を有する。
【０００９】
図１において、装置本体１が持つ筐体１ａの正面には反射防止膜が施されたアクリル板からなる呈示窓２が配置されている。被検者は呈示窓２を介して後述する視標呈示ユニット１５により呈示される視標を見ることができる。筐体１ａの内部は黒色に塗装され、内部構造が見えにくくされている。筐体１ａの正面には、リモコン４０に対する光信号の送受信を無線で行う送信部・受信部４が配置されている。送信部・受信部４は、ＬＥＤ等の光源４ａ、受光素子４ｂを有する。
【００１０】
図２及び図３は、装置本体１の筐体１ａに配置される視標呈示ユニットの光学系の説明図である。図２は筐体１ａの右側面から見たときの光学配置図、図３は筐体１ａを正面から見たときの光学系配置図である。
【００１１】
視標呈示ユニット１５の導光光学系は、円盤状の視標板２０、マスク板２２、照明光源２４、ミラー２５、ビームスプリッタ２６、凹面鏡２７を備える。視標板２０の同一円周上には視力値視標等の多数の検査視標がクロム蒸着等により形成されている。視標ディスク板２０はモータ２１により回転され、被検眼Ｅに呈示する視標が検査光路に切換え配置される。呈示視標の一部をマスクするためのマスク板２２は、モータ２３により回転される。照明光源２４、ミラー２５、ビームスプリッタ２６、凹面鏡２７を有する導光光学系が配置されている。本形態での凹面鏡２７は、被検眼Ｅと筐体１ａの呈示窓２との距離が０．９ｍのときに、視標と被検眼Ｅとの光学距離を５ｍの検査距離にするようにその焦点距離が設計されている。照明光源２４により照明された検査視標の光束は、ミラー２５によって上方に反射され、ビームスプリッタ２６を透過した後、凹面鏡２７で反射される。凹面鏡２７で反射した視標光束はビームスプリッタ２６で反射され、呈示窓２を介して被検眼Ｅに向かう。
【００１２】
反射部材であるビームスプリッタ２６は、凹面鏡２７の光軸Ｌ０１上に斜設され、光軸Ｌ０１上で水平方向に延びる回転軸２８を中心にして、上下回転モータ２９により上下方向に回転される。ビームスプリッタ２６が上下方向に回転されることにより、ビームスプリッタ２６で反射された視標光束の向かう高さが、被検眼Ｅの高さの違いに応じて変えられる。
【００１３】
図２及び図１において、呈示窓２の後方には、被検眼の高さ位置を検出するための高さ位置検出光学系３０が配置されている。高さ位置検出光学系３０は、集光レンズ３１、２次元の位置検出素子３２を備える。なお、高さ位置検出光学系３０は、ビームスプリッタ２６を挟んで左右に２箇所配置されている。
【００１４】
図４は、リモートコントローラ４０及びケーブル通信ユニット５０の構成の説明図である。リモートコントローラ４０は、各種の視標選択スイッチ４２と、選択視標の情報及びエラー発生時のエラー情報が表示される液晶ディスプレイ４６と、装置本体１に対する光信号の送信／受信を行うためにリモコン４０の先端４０ａ側に配置された送信部・受信部４７と、を備える。送信部・受信部４７は、視標選択信号等を光信号に変換して送信するためのＬＥＤ等の光源４８と、装置本体１の送信部・受信部４に配置された光源４ｂからの光信号を受光する受光素子４９と、を備える。リモートコントローラ４０が無線通信用として使用されるとき、光源４８は高さ位置検出光学系３０に検出光を投光する光源として兼用される。また、リモートコントローラ４０に配置されたスイッチ４５は、光源４８を高さ位置検出の検出光として発光させるときに使用される。スイッチ４４ａ，４４ｂは、ビームスプリッタ２６を上下に回転させる信号を直接入力するときに使用される。
【００１５】
ケーブル通信ユニット５０は、リモコン４０の先端４０ａに着脱自在に取り付けられるアタッチメント５１と、アタッチメント５１から延びたケーブル５３と、ケーブル５３のもう片方の端に取り付けられ、装置本体１のコネクタ５に接続されるコネクタ５８と、を有する。
【００１６】
図４（ａ）は、リモコン４０とアタッチメント５１と分離された状態の図である。図４（ｂ）は、アタッチメント５１がリモコン４０に取り付けられた状態の部分図である。図４（ｃ）は、アタッチメント５１を図４（ａ）の矢印Ａ方向から見た図である。アタッチメント５１は、リモコン４０の先端４０ａが挿入される凹部５１ａが形成されている。リモコン４０の先端４０ａとアタッチメント５１の凹部５１ａとは、ほぼ一致する形状に形成されている。アタッチメント５１のリモコン４０側は、先端４０ａに取り付けられたときにディスプレイ４６が隠れない形状とされている。また、アタッチメント５１は、リモコン４０側に取り付けられたときに、２つのネジ５６によってリモコン４０の左右両側から固定される。２つのネジ５６が締め付けられることにより、リモコン４０にアタッチメント５１が固定され、２つのネジ５６が緩められることにより、リモコン４０から容易にアタッチメント５１を取り外すことができる。
【００１７】
アタッチメント５１の内部には、リモコン４０側の光源４８から発せられた光を受光可能な位置に設けられた受光素子５４と、リモコン４０側の受光素子４９に向けて光を発する光源５５と、が配置されている。受光素子５４及び光源５５は、装置本体１の送信部・受信部４に配置された受光素子４ｂ及び光源４ａとそれぞれ同じ役目を果たす。アタッチメント５１がリモコン４０に取り付けられると、リモコン４０側の光源４８に対向して受光素子５４が位置され、リモコン４０側の受光素子４９に対向して光源５５が位置される。
【００１８】
なお、リモコン４０の先端４０ａの形状に対してアタッチメント５１が裏表逆に取り付けられる可能性があるときは、リモコン４０及びアタッチメント５１の表側に位置合わせ用のマーク５７ａ、５７ｂをそれぞれ設けておくと良い。アタッチメント５１をリモコン４０に取り付ける際にマーク５７ａ、５７ｂとを一致させることで、リモコン４０側の光源４８及び受光素子４９と、アタッチメント５１側の受光素子５４及び光源５５と、の対応関係を合わせることができる。また、アタッチメント５１には、高さ位置検出光学系３０に検出光を投光するための光源５２がリモコン４０の前側方向に位置するように配置されている。
【００１９】
図５は、視標呈示装置の制御ブロック図である。装置本体１が持つ制御ユニット１０に、送信部・受信部４が持つ光源４ａ及び受光素子４ｂ、高さ位置検出光学系３０が持つ位置検出素子３２、モータ２１，２３，２９が接続されている。また、ケーブル通信ユニット５０が装置本体１に接続されると、アタッチメント５１に配置された受光素子５４，光源５５及び光源５２が電気的に制御ユニット１０に接続される。リモコン４０が持つ制御ユニット４１に、光源４８，受光素子４９，ディスプレイ４６及び各種のスイッチが接続されている。
【００２０】
次に、以上のような構成を持つ視標呈示装置の動作を説明する。初めに、リモコン４０を無線通信にて使用する場合を説明する。検者は、被検者を本体１の呈示窓２から０．９ｍの距離に位置させる。検者は、リモコン４０を被検者の眼の高さに位置させた後、リモコン４０の送信部・受信部４を装置本体１側に向け、スイッチ４５（眼の高さ検出光を投光するスイッチ）を押す。スイッチ４５の信号を受けた制御ユニット４１は、位置検出動作を制御ユニット１０にさせるための所定コードの光パルス信号を光源４８から発信させ、所定時間後（０．２秒後）に位置検出用のフラッシュ光を投光するように光源４８を発光させる（光源４８の発光は、位置検出用の輝点として使用される）。光源４８からの初めの光パルス信号は、装置本体１の送信部・受信部４が持つ受光素子４ｂにより受光され、制御ユニット１０に入力される。制御ユニット１０は、所定コードの光パルス信号が入力されると、位置検出素子３２により検出されたフラシュ光の位置信号の読み取りを開始し、被検眼の高さ位置データを得る。そして、位置検出素子３２の検出結果に基づいてモータ２９の駆動を制御し、ビームスプリッタ２６を上下方向に回転させる。これにより、視標板２０の視標光束が被検眼の高さに向けられ、被検者は視標呈示ユニット１５により呈示される視標を呈示窓２の中央に見ることができる。呈示される視標の高さ調整が完了したときは、その旨を知らせる音が音発生器３６から発せられる。これにより、検者は視標の高さ調整ができたことを知ることができる。
【００２１】
また、リモコン４０の視標選択スイッチ４２が押されると、制御ユニット４１は各スイッチに対応した視標コードに従って光源４８を発光させる。光源４８から発せられた光パルス信号は受光素子４ｂにより受光され、制御ユニット１０に入力される。制御ユニット１０は、受光素子４ｂで受光された光パルス信号の視標コードを解読し、モータ２１の駆動を制御して視標コードに対応した視標を検査光路に切換え配置する。そして、制御ユニット１０は視標の切換えを行ったときは、送信部・受信部４に配置された光源４ａを発光させ、その旨の応答信号を光パルス信号に変換して送信する。
【００２２】
一方、リモコン４０の制御ユニット４１は、視標選択スイッチ４２により選択された視標の情報をディスプレイ４６に表示すると共に、光源４８の発光後から所定時間（例えば、０．１秒）の間に光源４ａからの応答信号の光が受光素子４９により受光されたかを確認する。ここで、受光素子４９により光源４ａからの応答信号が受光されていない場合、制御ユニット４１は装置本体１側の視標切換えが適正に行われていないと判断し、ディスプレイ４６にその旨の警告を表示させる。受光素子４９により光源４ａからの応答信号が受光されていれば、装置本体１側の視標切換えが適正に行われたと判断される。このような双方向通信機能をリモコン４０に持たせたことにより、検者はリモコン４０のディスプレイ４６の表示を確認するだけで装置本体１の視標切換えが適正に行われていることを知ることができる。特に、図２，３に例示した省スペース型（凹面鏡２７等を使用して光学的に検査距離を確保するタイプ）の視標呈示装置においては、検者は筐体１ａ内に呈示される視標を直接見ることが困難であるが、双方向通信機能により、検者は視標の切換えが適正に行われたか否かを確認できる。
【００２３】
次に、ケーブル通信ユニット５０を使用する場合を説明する。上記のような光信号を用いた無線通信では、検者がリモコン４０を操作するときの位置及び体勢の影響、あるいは外乱光の影響により、視標の切換えにエラーが多く発生する場合がある。このような場合に、ケーブル通信ユニット５０を使用する。図４（ｂ）に示すように、ケーブル通信ユニット５０のアタッチメント５１がリモコン４０の先端４０ａに取り付けられ、ケーブル５３に取り付けられたコネクタ５８が装置本体１のコネクタ５に接続されることにより、リモコン４０と装置本体１との有線通信が可能にされる。なお、ケーブル通信ユニット５０が接続された場合であっても、リモコン４０の制御ユニット４１による制御は無線通信の場合と同様であり、特別な設定変更は必要とされない。したがって、リモコン４０をそのまま使用できる。また、ケーブル５３のコネクタ５８が装置本体１のコネクタ５に接続されると、又はケーブル５３を介してリモコン４０からの信号が入力されると、制御ユニット１０は、外乱光等による誤動作を避けるため、送信部・受信部４の受光素子４ｂからの信号入力を遮断する（受光素子４ｂの光受光動作を停止する処理、又は受け付けない処理も含む）。
【００２４】
呈示される視標の高さ調整を行う場合、検者は、リモコン４０を被検者の眼の高さに位置させた後、アタッチメント５１に配置された光源４２を装置本体１側に向け、スイッチ４５を押す。スイッチ４５の信号が入力されると、所定コードの光パルス信号を送信するように光源４８が発光される。光源４８からの光パルス信号は、受光素子５４に受光されて電気信号に変換される。その信号は、ケーブル５３を介して装置本体１の制御ユニット１０に入力される。制御ユニット１０は、スイッチ４５の信号が入力されると、位置検出素子３２による被検眼の高さ位置検出の準備をした後、ケーブル５３を介してアタッチメント５１に配置された光源５２を発光させる。すなわち、アタッチメント５１がリモコン４０の送信部・受信部４７に取り付けられることにより、光源４８から発せられるフラッシュ光が位置検出用に使用できなくなる。そのため、アタッチメント５１に別に設けられた光源５２の発光のタイミングを制御ユニット１０が自ら制御する。これにより、外乱光が多い環境下であっても、高さ位置検出光学系３０の機能を使用することができる。
【００２５】
制御ユニット１０は、光源５２を発光させた後、位置検出素子３２により検出される光の位置信号の読み取りを開始する。制御ユニット１０は、位置検出素子３２の検出結果に基づいて被検眼の高さ位置データを得てビームスプリッタ２６を駆動させ、被検眼に向かう視標光束の高さを調整する。なお、位置検出素子３２による光の位置検出は、スイッチ４５が押され、初めに光源４８から発せられる所定コードのパルス信号が入力されたときのみ実施され、その他のときは位置検出動作が行われないように、制御ユニット１０によりロックが掛けられる（位置検出素子３２からの信号入力の遮断、又は受け付けない処理がなされる）。これにより、検査中にビームスプリッタ２６の駆動により視標光束の高さが変化してしまう誤動作が防止される。なお、検出光学系３０の検出に不都合が生じた場合、又は視標の見える高さ位置を手動で調整したい場合は、スイッチ４４ａ、４４ｂを使用することにより、ビームスプリッタ２６を手動で駆動できる。
【００２６】
次に、視標切換え時の動作を説明する。視標を切換えるために、リモコン４０の視標選択スイッチ４２が押されると、制御ユニット４１はスイッチに対応した視標コードに従って光源４８を発光させる。光源４８から発せられた光パルス信号は、アタッチメント５１に配置された受光素子５４により電気信号に変換され、ケーブル５３により制御ユニット１０に入力される。制御ユニット１０は、入力された信号の視標コードを解読し、視標板２０を回転して視標コードに対応した視標を検査光路に切換え配置する。また、制御ユニット１０は視標の切換えを行ったときは、リモコン４０側にその応答信号を返すために、ケーブル５３を介してアタッチメント５１に配置された光源５５を発光させる。
【００２７】
光源５５から発せられた光パルスの応答信号は、受光素子４９に受光され、制御ユニット４１に入力される。無線通信の時と同様に、光源４８の発光後から所定時間（０．１秒）の間に応答信号が受光素子４９により受光されることにより、制御ユニット４１は視標の切換えが行われたことを判断し、ディスプレイ４６には通信エラーの警告はなされない。
【００２８】
ここで、ケーブル通信の場合には、外乱光の影響を受けないので、視標の切換えが行われた旨の応答信号は必ずしも必要とされない。しかし、リモコン４０の制御ユニット４１が持つ制御プログラムを変更せずに、そのまま使用することができると都合がよい。この場合、視標の切換えが行われた旨の応答信号が入力されないと、ディスプレイ４６に通信エラーの警告がなされ、その後のリモコン４０の操作ができなくなってしまう。これに対して、アタッチメント５１に応答信号を発光する光源５５が設けられていることにより、受光素子４９により応答信号が受光されないことによる無用なトラブルを排除することができる。また、ケーブル５３の接続不良、ケーブルの断線等の可能性もあるため、ケーブル通信においても装置本体１からの応答信号を確認する双方向通信機能を残しておくことが好ましい。
【００２９】
以上のように、無線通信用のリモコン４０にケーブル通信ユニット５０を取り付けることにより、リモコン４０をそのまま有線通信にも簡単に利用することができる。また、視標呈示装置のレイアウト変更により有線通信の必要性が生じた場合も、リモコン４０に特別な改造を必要としないため、使用者は既存のリモコン４０をそのまま使用できる。
【００３０】
次に、本発明の第２実施形態を説明する。図６は第２実施形態の視標呈示装置の概略構成図であり、図７は第２実施形態の制御ブロック図である。第２実施形態は、第１実施形態のケーブル通信ユニット５０に対して、リモコン４０側にもケーブルを接続するためのコネクタを設けた例である。図６、図７の各構成要素において、先の例と同一の要素には同一の符号が付されている。
【００３１】
リモコン４０にはケーブル通信ユニット７０を電気的に接続するためのコネクタ６１が設けられている。コネクタ６１は制御ユニット４１に接続されている。ケーブル通信ユニット７０は、ケーブル５３と、装置本体１側のコネクタ５に接続されるコネクタ５８と、リモコン４０側に設けられたコネクタ６１に接続されるコネクタ７１と、を有する。
【００３２】
コネクタ６１は、コネクタ７１の接続の有無を検知する接続検知回路６１ａを有する。ケーブル通信ユニット７０のコネクタ７１がリモコン４０のコネクタ６１に接続されていないときは、コネクタ６１内の接続検知回路６１ａからの信号が「Ｈｉｇｈ」とされる。制御ユニット４１は、接続検知回路６１ａから信号が「Ｈｉｇｈ」のときは、前述のようにリモコン４０が無線通信にて使用されるものと判断し、スイッチ４２，４５等のスイッチ信号を光信号に変換して送信するように光源４８の発光を制御し、また、受光素子４９の受光動作を制御する。コネクタ７１がコネクタ６１に接続されると、接続検知回路６１ａからの信号が「Ｌｏｗ」とされる。制御ユニット４１は、接続検知回路６１ａから信号が「Ｌｏｗ」のときは、光源４８をスイッチ信号の送信に使用しないように光源４８の発光制御を停止し、また、受光素子４９の受光動作を停止する（受光素子４９からの信号入力を遮断する）。そして、制御ユニット４１は、スイッチ４２による視標選択信号を、コネクタ６１を介してケーブル通信ユニット７０に電気信号により出力する。
【００３３】
一方、装置本体１側の制御ユニット１０は、コネクタ５にケーブル通信ユニット７０のコネクタ５８が接続されると（ケーブル５３を介してコネクタ５から信号が入力されると）、外乱光等による誤動作を避けるため、送信部・受信部４の受光素子４ｂからの信号入力を遮断する（受光素子４ｂの光受光動作を停止する処理、又は受け付けない処理も含む）。これにより、信号の受信／送信を無線通信から有線通信に切換えられ、以後はケーブル通信ユニット７０を介して入力される信号のみに基づいて、視標呈示ユニットの動作が制御される。
【００３４】
呈示される視標の高さ調整を行う場合について説明する。検者は、リモコン４０を被検者の眼の高さ位置に合わせた後、スイッチ４５を押す。スイッチ４５のスイッチ信号が入力されると、制御ユニット４１は、位置検出動作を装置本体１側に準備させるための電気信号をコネクタ６１から出力する。コネクタ６１から電気信号は、ケーブル通信ユニット７０を介して装置本体１側に送信される。また、制御ユニット４１は所定時間後（０．２秒後）に、位置検出用のフラッシュ光を投光するように光源４８を発光させる。制御ユニット１０は、リモコン４０側から位置検出動作の準備用の信号を受信すると、位置検出素子３２により検出されたフラシュ光の位置信号の読み取りを開始し、被検眼の高さ位置データを得る。位置検出素子３２の検出結果に基づいてビームスプリッタ２６が駆動され、視標光束が被検眼の高さに位置合わせされる。
【００３５】
次に、視標切換え時の動作について説明する。リモコン４０の視標選択スイッチ４２が押されると、制御ユニット４１は選択されたスイッチに対応した視標コードの電気信号をコネクタ６１から出力させる。この信号はケーブル通信ユニット７０を介して装置本体１側に送られる。制御ユニット１０は、視標選択信号を受信すると、その信号の視標コードを解読し、視標板２０を回転して視標コードに対応した視標を検査光路に切換え配置する。そして、制御ユニット１０は、視標を切換えた旨の応答信号をコネクタ５から出力する。制御ユニット４１は、ケーブル通信ユニット７０及びコネクタ６１を介して、所定時間内に応答信号が入力されると、視標の切換えが行われたことを判断する。所定時間内に応答信号が受信されなかった場合には、ディスプレイ４６に通信エラーの警告が表示される。ケーブル通信ユニット７０が使用される場合、装置本体１側から視標を切換えた旨の応答信号は必ずしも必要ないが、ケーブル通信ユニット７０の本体１側への接続忘れ、接続不良、断線等によるトラブルを排除するため、無線通信の場合と同様に、応答信号を利用する双方向通信が好ましい。
【００３６】
コネクタ６１にケーブル通信ユニット７０が接続されたときの、光源４８の発光制御、さらに受光素子４９の受光動作の切換え制御は、コネクタ６１にコネクタ７１が接続されたことを検知する回路を設ける他、次のようにしても良い。例えば、リモコン４０からの信号通信を無線通信で行うか、コネクタ６１を介した電気信号の通信で行うか否かを設定する専用のスイッチを設ける（ディップスイッチの設定で可能とする）。
【００３７】
また、装置本体１側においても、コネクタ５８の接続の有無を検知する検知回路を設けてもよいし、無線通信で行うかコネクタ５を介した有線通信で行うかを設定するスイッチを設けても良い。制御ユニット１０は、検知回路又はスイッチの設定に基づいて、信号の受信／送信を無線通信から有線通信に切換える。
【００３８】
以上の実施形態では、装置本体内部に凹面鏡、ビームスプリッタ２６を備える省スペース型の視標呈示装置を例にして説明したが、被検者が所定の検査距離だけ離されたスクリーンに視標を投影する投影タイプの視標呈示装置、あるいはＬＣＤ等のディスプレイに視標を表示する視標呈示装置においても、本発明を適用可能である。
【図面の簡単な説明】
【００３９】
【図１】第１実施形態の視標呈示装置の概略構成図である。
【図２】筐体の右側面から見たときの光学系配置図である。
【図３】筐体を正面から見たときの光学系配置図である。
【図４】リモートコントローラ及びケーブル通信ユニットの構成の説明図である。
【図５】第１実施形態の視標呈示装置の制御ブロック図である。
【図６】第２実施形態の視標呈示装置の概略構成図である。
【図７】第２実施形態の視標呈示装置の制御ブロック図である。
【符号の説明】
【００４０】
１  装置本体
４  送信部・受信部
５、６１、７１  コネクタ
１０  制御ユニット
２６  ビームスプリッタ
２９  上下回転モータ
３０  位置検出光学系
４０  リモコン
４１  制御ユニット
４５  スイッチ
４６  液晶ディスプレイ
４８、５２、５５  光源
４９、５４  受光素子
５０、７０  ケーブル通信ユニット
５１  アタッチメント
５３  ケーブル
【図１】
2009268530.tif 000003
【図２】
2009268530.tif 000004
【図３】
2009268530.tif 000005
【図４】
2009268530.tif 000006
【図５】
2009268530.tif 000007
【図６】
2009268530.tif 000008
【図７】
2009268530.tif 000009